(57)【特許請求の範囲】
【請求項１】
単繊維太さが１〜１０デニールの化学繊維糸を仮撚り加工し、伸縮性を付与した原糸を用いて筒状編地袋に編成した後、該筒状編地袋に対して長手方向に１ｍ当たり１〜４０回の撚りを掛けての熱処理と、撥水加工を施し、編地上に多数のしわと撥水性を保有せしめたことを特徴とする中晩柑類果実の樹上越冬用袋。
【発明の詳細な説明】
【０００１】
【発明の属する技術分野】
本発明は、中晩柑類の果実を被包して、樹上にての越冬を良好に可能とし、良好な成長促進を図ることのできる中晩柑類果実の樹上越冬用袋に関する。
【０００２】
【従来の技術】
一般に、路地で栽培される中晩柑類の果実は、風雨の侵入、霜害、鳥・虫害その他の自然災害から果実を保護しつつ、成長促進させる必要があり、近年、各種化学繊維を用いた、編地横方向における最大伸長率５％以上、目付が６０〜２５０ｇ／ｍ2 の筒状編地からなる袋などが、生育保護のために用いられている（実公昭５７−１９９７３号公報）。
【０００３】
このような袋は、十分な横方向の伸縮性があり、果実への袋掛け作業が著しく簡単であるほか、光線透過率、通風性、フィット性など果実の保護、成長促進など顕著な効果を奏し、特に温州ミカンを中心に柑橘の果実保護として利用されてきている。
【０００４】
【発明が解決しようとする課題】
しかし、上述した従来の筒状編地袋は、比較的大玉な中晩柑類の果実を被包した場合、上下開口部の閉塞が十分でなく、風雨、日光、害虫の侵入による変退色、虫害、鳥害、その他の自然災害の防止が十分できないという問題がある。
【０００５】
このような問題は、そのような比較的果実の大玉な中晩柑類を樹上にて越冬させて成長させる場合には、厳冬期は霜、凍結による果皮、果肉の損傷が起こるため、特に大きな問題であった。
【０００６】
また、編地を構成する原糸に収縮性がないため編み目がずれやすく、風雨、日光、害虫の侵入による変退色、虫害、鳥害、その他の自然災害の防止が十分できないという問題がある。
【０００７】
また、編地を構成する原糸の単糸デニールが小さいと耐久性に乏しく、逆に太すぎるとフイット性も悪く、取り付け等の作業性も良くなく、また果実の生育に応じて被包し保護することが難しくなる問題がある。
【０００８】
また、厳冬期、撥水加工を施してない保護袋が風雨にさらされた場合、編み目に浸透した水が凍結して、果実の果皮および果肉の品質を悪くするという問題がある。
【０００９】
本発明は、このような従来の果実の保護・成長促進用袋の持つ特長点を生かしつつ、特に果実を被包した保護袋の上下開口部の閉塞性の点、更には耐久性、フイット性や厳冬期の果実の凍結防止の点において優れた特長を有し、特に、樹上にての越冬を良好に可能とし、良好な成長促進を図ることの出来る中晩柑類果実の樹上越冬用袋を提供することを目的とする。
【００１０】
【課題を解決するための手段】
かかる目的を達成する本発明の中晩柑類果実の樹上越冬用袋は、以下の構成からなるものである。
【００１１】
すなわち、単繊維太さが１〜１０デニールの化学繊維糸を仮撚り加工し、伸縮性を付与した原糸を用いて筒状編地袋に編成した後、該筒状編地袋に対して長手方向に１ｍ当たり１〜４０回の撚りを掛けての熱処理と、撥水加工を施し、編地上に多数のしわと撥水性を保有せしめたことを特徴とする中晩柑類果実の樹上越冬用袋である。
【００１２】
【発明の実施の形態】
以下、更に詳しく本発明の中晩柑類果実の樹上越冬用袋について説明をする。
【００１３】
本発明の中晩柑類果実の樹上越冬用袋は、果実を被包した際、該袋の上下開口部を閉塞するための編み組織に加え、筒編された連続した長さの該袋に長手方向１メートル当たり１〜４０回、好ましくは３〜７回の撚りを掛けた後、熱処理を施し、編地上に多数のしわを保有することを要件とする袋である。
【００１４】
ここで、本発明で言う多数のしわとは、単位面積当たりにおいてしわを多数本有していることを言い、具体的には、中でも好ましくは１０〜１００本／ｃｍ2 程度、より好ましくは２０〜６０本／ｃｍ2 程度のしわ本数を有していることである。
【００１５】
また、上述の撚り数は、しわの発生に重大に影響するため、撚り数１回未満ではしわ数が不足して果実を被包した際該袋の上下開口部の閉塞が十分でなく、４０回を超える場合では袋がねじれて袋掛けの作業性が損なわれるので好ましくない。
【００１６】
なお、本発明で言う「しわ」とは、連続、もしくは不連続な、長さ方向の螺旋状のしわのことをいい、方向は左回り、右回り、いずれのものでもよい。
【００１７】
また、本発明の編地を構成する糸素材は、化学繊維を仮撚り加工し、伸縮性を付与したものを用いることが重要である。用いられる仮撚機は、従来からある任意のものでよく、撚り数は２０００〜２８００Ｔ／ｍが好ましく、２０００Ｔ／ｍ未満では果実を被包した際該袋の上下開口部の閉塞が十分でなく、２８００Ｔ／ｍを超える場合には果実を締め付けて、その成長促進を阻害することがあるので好ましくない。また、本発明の編地を構成する糸・繊維束の単繊維太さは１〜１０デニール、好ましくは３〜５デニールである。
【００１８】
かかる単繊維の太さは、編地袋の破損、耐久性、保温性に影響を及ぼすため１デニール未満では、袋掛け作業時に単繊維が切れやすく、耐久性、保温性も悪くなる。一方、１０デニールを超えるものでは光透過量が少なくなり果実の生長、着色が悪くなる傾向にある。
【００１９】
本発明に用いることのできる化学繊維としては、例えば、ポリエステル繊維、ポリアミド繊維などがある。
【００２０】
なお、かかる編地袋の目付は、６０〜２５０g／ｍ2 、また横方向の最大伸長率は、好ましくは５％以上、より好ましくは２０％以上である。
【００２１】
さらに、本発明の編地袋は、連続した筒状編地袋に編成した後等の適宜の時点において撥水加工による防水性が付与されているたことを要件とする。該撥水加工の条件や撥水剤は、従来から知られている条件のもので良いが、筒状に編成する前の原糸に撥水加工する場合は、編成時に撥水剤の脱落等が起こる場合があり、防水性が低下する場合もあるので、一般には好ましくない。
【００２２】
該編地袋は、白色のものでよいが、黒色、灰色などの適宜の着色がされているものであってもよい。
【００２３】
【実施例】
単繊維デニール４．５ｄのポリエステルフイラメント１２本を１束とし、仮撚機を用いて仮撚加工した仮撚糸を筒編機で筒編地に編成した。
【００２４】
次に、編成した筒編地に長手方向に１メートル当たり３回の撚りを掛けて熱処理し、しわを付与した後、市販の撥水剤を用いて撥水加工を施した。
【００２５】
上記で作った筒編地を果実の大きさに応じて切断して作った袋は、横方向の収縮性、柔軟性に優れた果実の保護袋であった。
【００２６】
こうして得られた本発明に係る中晩柑類果実の樹上越冬用袋を用いて果実を被包したところ、作業性、フイット性、更には上下開口部の閉塞性において良好なものであった。
【００２７】
本発明に係る中晩柑類果実の樹上越冬用袋を用いて、中晩柑類の一種デコポンの果実を１１月〜３月の厳冬期に袋掛けした結果、寒害、凍害、鳥害の被害を受けず果皮の変色、油胞の黒変などの果皮障害、果肉部分の黄濁、す上がり、異味などがなく良質で十分な大きさの果実を得ることができた。
【００２８】
【発明の効果】
以上述べたとおりの本発明によれば、路地で樹上越冬させる中晩柑類果実を被包した際、上下開口部の閉塞性に優れ、かつ、霜・風雨の侵入防止性及び保温性が良く、また、作業性、フイット性を損なうことなく、繰り返し使用に耐える良好な強度を保有する樹上越冬用袋を提供できるものである。